(57)【要約】      （修正有）【課題】着用者の感電を防ぐ衣料用面状ヒータを提供する。【解決手段】面状ヒータが、電池３００の正極に接続された一方の第１の電極線糸と電池３００の負極に接続された他方の第１の電極線糸とが交叉しないようにリバーシブル編みで編まれた第１の布部１００と、導電体である第２の電極線糸と通電されると発熱する発熱体糸とが丸編みで編まれた第２の布部２００とを含む。電池３００から流出した電流は、一方の第１の電極線糸、第２の電極線糸、発熱体糸、他の第２の電極線糸、および他方の第１の電極線糸を流れる。そして、発熱体糸が発熱する。面状ヒータ１は、第１の電極線糸が暴露される面が衣料の内面に接するように設置される。【選択図】図４
0003171497.tif 000002
【実用新案登録請求の範囲】
【請求項１】
電池における一方の電極に接続される糸状の導体である第１の電極線糸と、前記電池における他方の電極に接続される糸状の導体である第２の電極線糸と、電流が流れない絶縁体糸とが編まれた第１の布と、
糸状の導体である導体糸と、電流が流れると発熱する発熱体糸と、絶縁体糸とが編まれた第２の布とを備え、
前記第１の布は、前記第１の電極線糸と前記第２の電極線糸とが交叉しないように編まれ、
前記第２の布は、前記導体糸と発熱体糸とが交叉するように編まれ、
前記第１の布は、前記第１の電極線糸と前記第２の電極線糸とが暴露される一方の面と、前記第１の電極線糸と前記第２の電極線糸とが暴露されない他方の面とによって構成されるように編まれ、
前記第１の布における前記第１の電極線糸および前記第２の電極線糸は、前記第１の布における前記一方の面が前記第２の布によって覆われることによって、前記第２の布における前記導体糸に接し、
前記第２の布において、一の発熱体糸は、一の導体糸を介して前記第１の電極線糸に接続され、他の一の導体糸を介して前記第２の電極線糸に接続される
ことを特徴とする面状ヒータ。
【請求項２】
導体糸は、発熱体糸における所定の部分に電流が流れるように、第１の布における第１の電極線糸に接する位置の近傍の部分または第２の電極線糸に接する位置の近傍の部分が切断されている
請求項１記載の面状ヒータ。
【請求項３】
請求項１または請求項２記載の面状ヒータを含み、面状ヒータにおける第２の布が内面に接するように面状ヒータが設置された
ことを特徴とする衣料。
【考案の詳細な説明】
【技術分野】
【０００１】
本考案は、電流が流れると発熱する面状ヒータおよび当該面状ヒータが設置された衣料に関する。
【背景技術】
【０００２】
長方形状の面状ヒータであって、一辺の縁部と当該一辺に向かい合う辺の縁部とに電極がそれぞれ設置され、複数の発熱線によって一方の縁部の電極と他方の縁部の電極とが接続されている面状ヒータがある（例えば、特許文献１および特許文献２参照）。
【先行技術文献】
【特許文献】
【０００３】
【特許文献１】特許第２９６０８４３号明細書（段落００１１−００１６、図１）
【特許文献２】特許第４４６０２２５号明細書（段落００１４−００２１、図１）
【考案の概要】
【考案が解決しようとする課題】
【０００４】
特許文献１に記載されている面状ヒータを衣料用に適用する場合には、ユーザが感電しないようにするために電極線と発熱線とを絶縁物で覆う必要があり、コストがかかるという問題がある。また、特許文献２に記載されている面状ヒータを衣料用に適用する場合においても、ユーザが感電しないようにするために電極に相当する導電バスと発熱線に相当する導電加熱糸とを絶縁物で覆う必要があり、コストがかかるという問題がある。
【０００５】
そこで、本考案は、低コストで衣料用に適用可能な面状ヒータおよび当該面状ヒータが設置された衣料を提供することを目的とする。
【課題を解決するための手段】
【０００６】
本考案による面状ヒータは、電池における一方の電極に接続される糸状の導体である第１の電極線糸と、電池における他方の電極に接続される糸状の導体である第２の電極線糸と、電流が流れない絶縁体糸とが編まれた第１の布と、糸状の導体である導体糸と、電流が流れると発熱する発熱体糸と、絶縁体糸とが編まれた第２の布とを備え、第１の布は、第１の電極線糸と第２の電極線糸とが交叉しないように編まれ、第２の布は、導体糸と発熱体糸とが交叉するように編まれ、第１の布は、第１の電極線糸と第２の電極線糸とが暴露される一方の面と、第１の電極線糸と第２の電極線糸とが暴露されない他方の面とによって構成されるように編まれ、第１の布における第１の電極線糸および第２の電極線糸は、第１の布における一方の面が第２の布によって覆われることによって、第２の布における導体糸に接し、第２の布において、一の発熱体糸は、一の導体糸を介して第１の電極線糸に接続され、他の一の導体糸を介して第２の電極線糸に接続されることを特徴とする。
【０００７】
導体糸は、発熱体糸における所定の部分に電流が流れるように、第１の布における第１の電極線糸に接する位置の近傍の部分または第２の電極線糸に接する位置の近傍の部分が切断されていてもよい。
【０００８】
本考案による衣料は、電池における一方の電極に接続される糸状の導体である第１の電極線糸と、電池における他方の電極に接続される糸状の導体である第２の電極線糸と、電流が流れない絶縁体糸とが編まれた第１の布と、糸状の導体である導体糸と、電流が流れると発熱する発熱体糸と、絶縁体糸とが編まれた第２の布とを備え、第１の布は、第１の電極線糸と第２の電極線糸とが交叉しないように編まれ、第２の布は、導体糸と発熱体糸とが交叉するように編まれ、第１の布は、第１の電極線糸と第２の電極線糸とが暴露される一方の面と、第１の電極線糸と第２の電極線糸とが暴露されない他方の面とによって構成されるように編まれ、第１の布における第１の電極線糸および第２の電極線糸は、第１の布における一方の面が第２の布によって覆われることによって、第２の布における導体糸に接し、第２の布において、一の発熱体糸は、一の導体糸を介して第１の電極線糸に接続され、他の一の導体糸を介して第２の電極線糸に接続されることを特徴とする面状ヒータ、または電池における一方の電極に接続される糸状の導体である第１の電極線糸と、電池における他方の電極に接続される糸状の導体である第２の電極線糸と、電流が流れない絶縁体糸とが編まれた第１の布と、糸状の導体である導体糸と、電流が流れると発熱する発熱体糸と、絶縁体糸とが編まれた第２の布とを備え、第１の布は、第１の電極線糸と第２の電極線糸とが交叉しないように編まれ、第２の布は、導体糸と発熱体糸とが交叉するように編まれ、第１の布は、第１の電極線糸と第２の電極線糸とが暴露される一方の面と、第１の電極線糸と第２の電極線糸とが暴露されない他方の面とによって構成されるように編まれ、第１の布における第１の電極線糸および第２の電極線糸は、第１の布における一方の面が第２の布によって覆われることによって、第２の布における導体糸に接し、第２の布において、一の発熱体糸は、一の導体糸を介して第１の電極線糸に接続され、他の一の導体糸を介して第２の電極線糸に接続され、導体糸が、発熱体糸における所定の部分に電流が流れるように、第１の布における第１の電極線糸に接する位置の近傍の部分または第２の電極線糸に接する位置の近傍の部分が切断されている面状ヒータを含み、面状ヒータにおける第２の布が内面に接するように面状ヒータが設置されたことを特徴とする。
【考案の効果】
【０００９】
本考案によれば、衣料の内部を加温することができる。また、当該衣料の着用者が感電することを防ぐことができる。
【図面の簡単な説明】
【００１０】
【図１】本考案の実施の形態の面状ヒータの構成例を示す説明図である。
【図２】第１の布部における一方の面を示す説明図である。
【図３】第２の布部における一方の面を示す説明図である。
【図４】第１の布部と第２の布部とにおいて接する面を示す説明図である。
【図５】衣料に設置された面状ヒータを示す説明図である。
【考案を実施するための形態】
【００１１】
本考案の実施の形態の面状ヒータ１について説明する。図１は、本考案の実施の形態の面状ヒータ１の構成例を示す説明図である。図１に示すように、本考案の実施の形態の面状ヒータ１は、第１の布部（第１の布）１００と第２の布部（第２の布）２００とを含む。図１に示すように、本実施の形態の面状ヒータ１は、第１の布部１００の一の面と第２の布部２００の一の面とが接するように縫い合わされている。つまり、第１の布部１００の一の面が第２の布部２００に覆われている。なお、第１の布部１００の一の面と第２の布部２００の一の面とが重ねられて貼り合わされていてもよい。
【００１２】
図２は、第１の布部１００における一方の面を示す説明図である。図２に示すように、第１の布部１００は、柔軟性がある糸状の導体である第１の電極線糸１０１と柔軟性がある糸状の絶縁体である第１の絶縁体糸１０２とがリバーシブル編みで編まれて形成されている。なお、図２において、第１の電極線糸１０１は実線で示され、第１の絶縁体糸１０２は点線で示されている。図２に示す例では、第１の絶縁体糸１０２は経方向および緯方向に、第１の電極線糸１０１は経方向に、リバーシブル編みで編まれている。なお、図２に示すように、第１の布部１００における一方の面には、複数の第１の電極線糸１０１による組が経方向に所定の間隔でリバーシブル編みで編まれることにより、導電性を有し、電池３００に接続され得る帯状の領域である電極帯が経方向に形成されている。
【００１３】
本実施の形態におけるリバーシブル編みとは、編まれている糸のうち、一方の面で暴露される糸と他方の面で暴露される糸とを異ならせることが可能な編み方をいう。本実施の形態では、第１の布部１００において第１の電極体糸１０１が暴露される面が第２の布部２００における面に向かい合う（つまり、第２の布部２００における面に接する）ように縫い合わされる。従って、面状ヒータ１において、第１の電極体糸１０１は暴露されず、第２の布部２００に接する。従って、面状ヒータ１が衣服に設置される場合に、第１の布部１００が、直接にまたは間接的に着用者に接しても、当該着用者が感電することを防ぐことができる。なお、第１の布部１００の編まれ方はリバーシブル編みに限定されるものではなく、第１の電極体糸１０１が、一方の面で暴露され、他方の面で暴露されない編まれ方であればよい。
【００１４】
図３は、第２の布部２００における一方の面を示す説明図である。図３に示すように、第２の布部２００は、柔軟性がある糸状の導体である第２の電極線糸（導体糸）２０１と柔軟性がある糸状の絶縁体である第２の絶縁体糸２０２と柔軟性があり電流が流れると発熱する発熱体糸２０３とが丸編みで編まれて形成されている。なお、図３において、第２の電極線糸２０１は実線で示され、第２の絶縁体糸２０２は点線で示され、発熱体糸２０３は破線で示されている。図３に示す例では、第２の絶縁体糸２０２は経方向および緯方向に、第２の電極線糸２０１は緯方向に、発熱体糸２０３は経方向に、丸編みで編まれている。なお、図３に示すように、第２の布部２００において、複数の第２の電極線糸２０１による組が緯方向に予め決められた間隔で丸編みで編まれることにより、導電性を有する帯状の領域である導電帯が緯方向に形成されている。また、複数の発熱体糸２０３による組が経方向に一定の間隔で丸編みで編まれることにより、電流が流れると発熱する帯状の領域である発熱帯が経方向に形成されている。なお、発熱体糸２０３は、例えば、炭素繊維発熱体によって実現される。
【００１５】
なお、本実施の形態における丸編みとは、一方の面と他方の面とで同じ糸が暴露される編み方をいう。なお、第２の布部２００の編まれ方は丸編みに限定されるものではなく、第２の電極体糸２０１が、少なくとも一方の面で暴露される編まれ方であればよい。
【００１６】
図４は、第１の布部１００と第２の布部２００とにおいて接する面を示す説明図である。図４に示すように、本実施の形態では、第１の電極体糸１０１が暴露される面が第２の布部２００における面に向かい合う（つまり、第２の布部２００における面に接する）ように縫い合わされる。そして、第１の布部１００における電極帯１０４ａ（より具体的には、電極帯１０４ａを構成する電極線糸１０１）は電池３００の正極に接続され、電極帯１０４ｂ（より具体的には、電極帯１０４ｂを構成する電極線糸１０１）は電池３００の負極に接続されている。そして、第１の布部１００における電極帯１０４ａ，１０４ｂは、それぞれ第２の布部２００における導電帯２０４ａ，２０４ｂに接する。
【００１７】
図４に示すように、第２の布部２００には、導電帯２０４ａ，２０４ｂと交叉する発熱帯２０５ａ，２０５ｂ，２０５ｃが形成されている。また、第２の布部２００における導電帯２０４ａ（具体的には、導電帯２０４ａを構成する第２の電極線糸２０１）は、電極帯１０４ａに接する位置と電極帯１０４ｂに接する位置との間の部分であって、電極帯１０４ｂに接する位置の近傍の部分が切断されている。また、図４に示すように、第２の布部２００における導電帯２０４ｂ（具体的には、導電帯２０４ｂを構成する第２の電極線糸２０１）は、電極帯１０４ａに接する位置と電極帯１０４ｂに接する位置との間の部分であって、電極帯１０４ｂに接する位置の近傍の部分が切断されている。導電帯２０４ａ，２０４ｂにおける電極帯１０４ａに接する位置と電極帯１０４ｂに接する位置との間の部分が切断されていることによって、電極帯１０４ａと電極帯１０４ｂとの間が短絡されることが防がれている。
【００１８】
従って、電池３００の正極から流出した電流は、電極帯１０４ａから、導電帯２０４ａ、発熱体２０５ｂ、および導電帯２０４ｂを流れ、電極帯１０４ｂを介して電池３００の負極に至る。そして、発熱体２０５ｂのうち、電極帯１０４ａと電極帯１０４ｂとの間の部分、つまり、電流が流れる部分が発熱する。
【００１９】
面状ヒータ１は、第１の布部１００における第１の電極体糸１０１が暴露されない面が人体に直接にまたは間接的に接し、第２の布部２００によって構成される面が衣料の内面に接するように、当該衣料に設置される。図５は、衣料に設置された面状ヒータ１を示す説明図である。図５（ａ）に示す例では、面状ヒータ１は破線で示され、手袋４００において、手の形状に相当する形状に成形されて、当該手袋４００の内面に設置されている。なお、電池３００は、例えば、手首に相当する部分に設置される。また、図５（ａ）に示す面状ヒータ１において、手の指先に相当する部分の発熱体と、手の甲における手の平の反対側の面の一部の部分の発熱体とに電流が流れて発熱するように、導電帯が切断されて構成されていてもよい。そのような構成によれば、面状ヒータ１の全体に電流を流した場合に比べて、消費電力量を低減することができる。図５（ｂ）に示す例では、面状ヒータ１は破線で示され、靴下５００の内面における足の土踏まずに相当する形状に成形されて、当該靴下５００における足の土踏まずに相当する部分の内面に設置されている。なお、電池３００は、例えば、ふくらはぎの側面上部に相当する部分に設置される。
【００２０】
本実施の形態によれば、発熱帯２０５ｂ（具体的には、発熱帯２０５ｂのうち、電極帯１０４ａと電極帯１０４ｂとの間の部分を構成する発熱体糸２０３）が発熱し、当該発熱帯２０５ｂによって発せられた熱が面状ヒータ１における発熱帯２０５ｂに隣接する領域に伝達されるので、当該発熱帯２０５ｂおよび当該領域が暖められ、衣料の内部において面状ヒータ１に接する領域を暖め、当該衣料の内部を加温することができる。
【００２１】
面状ヒータ１は、第１の布部１００における第１の電極体糸１０１が暴露されない面が人体に直接にまたは間接的に接するように衣料に設置可能であるので、面状ヒータ１を絶縁物等で覆うことなく、着用者が感電することを防ぐことができる。
【００２２】
また、各糸に、それぞれ柔軟性がある素材が用いられた場合には、面状ヒータ１が着用者の動作に応じて柔軟に変形し、着用者の快適感を損なうことを防ぐことができる。また、面状ヒータ１を洗濯することが可能になる。
【００２３】
なお、面状ヒータ１は、図２に示すように単調な構成の第１の布部１００と、図３に示すような単調な構成の第２の布部２００とによって構成されているので、用途に応じた外形形状（例えば、図５（ａ）に示す手袋４００に応じた外形形状）に当該第１の布部１００と第２の布部２００とを切断して縫い合わせ、発熱体糸２０３における発熱させたい部分（例えば、手の指先に相当する部分の発熱体、および手の甲における手の平の反対側の面の一部の部分の発熱体）に電流が流れるように、当該第１の布部１００における当該部分に応じた電極帯に電池３００が接続され、電極線糸２０１における当該部分に応じた部分が切断されて、構成されることができる。つまり、面状ヒータ１を、用途に応じた外形形状に成形することができる。また、面上ヒータ１における任意の部分を発熱させることができる。
【００２４】
また、面状ヒータ１の用途に応じて、発熱体糸２０３をより高い温度に発熱させたい場合には、発熱体糸２０３に流れる電流を増やすために直列接続された複数の電池が第１の布部１００における電極帯に接続されてもよい。また、複数の発熱体糸に電流が流れるように、電池３００が接続される電極帯と、第２の電極線糸２０１における切断される部分とが選択されてもよい。
【００２５】
なお、面状ヒータ１が設置される衣料は手袋や靴下に限られず、他の衣料に設置されてもよい。例えば、防寒用衣料に設置されてもよい。また、衣料に限られず、他の加温したい物に設置されてもよい。
【符号の説明】
【００２６】
１      面状ヒータ
１００  第１の布部
１０１  第１の電極線糸
１０２  第１の絶縁体糸
１０４ａ，１０４ｂ  電極帯
２００  第２の布部
２０１  第２の電極線糸
２０２  第２の絶縁体糸
２０３  発熱体糸
２０４ａ，２０４ｂ  導電帯
３００  電池
４００  手袋
５００  靴下
【図１】
0003171497.tif 000003
【図２】
0003171497.tif 000004
【図３】
0003171497.tif 000005
【図４】
0003171497.tif 000006
【図５】
0003171497.tif 000007